(57)【要約】【課題】トルマリン電気石の特性を利用してシートからトルマリン電気石を微粉せしめた微粉末が脱落せず長期間使用可能にすると共に再生の熱可塑性樹脂の用途拡大を図ったトルマリン入りシートおよび健康シート、育成シート並びにその製造方法を提供することにある。【解決手段】熱可塑性樹脂のペレット１と、トルマリン電気石を微粉せしめた微粉末３とを、回転摩擦力によるミキサー５に投入し、このミキサー５内で混合せしめた後、押出機７で押し出して、引っ張りロール１１にて引っ張ってシートにすることを特徴とする。【選択図】      図１
2004315684.tif 000002
【特許請求の範囲】
【請求項１】
熱可塑性樹脂のシートに、トルマリン電気石を微粉せしめた微粉末を含浸せしめてなることを特徴とするトルマリン入りシート。
【請求項２】
前記熱可塑性樹脂は廃棄物シートをリサイクル処理せしめた再生の樹脂であることを特徴とする請求項１記載のトルマリン入りシート。
【請求項３】
前記熱可塑性樹脂はポリエチレン、酢酸ビニール、ポリプロピレンの樹脂であることを特徴とする請求項１又は２記載のトルマリン入りシート。
【請求項４】
前記熱可塑性樹脂のシートの１００Ｋｇに対してトルマリン電気石を微粉せしめた微粉末の含有が１２〜３０Ｋｇ含まれていることを特徴とする請求項１、２または３記載のトルマリン入りシート。
【請求項５】
厚さが０．０７５ｍｍ〜２．０ｍｍであると共にこの厚さの範囲内で調整可能であることを特徴とする請求項１、２、３又は４記載のトルマリン入りシート。
【請求項６】
熱可塑性樹脂のペレットと、トルマリン電気石を微粉せしめた微粉末とを、回転摩擦力によるミキサーに投入し、このミキサー内で混合せしめた後、押出機にて混練押し出して、シートにすることを特徴とするトルマリン入りシートの製造方法。
【請求項７】
前記熱可塑性樹脂のペレットは廃棄物シートをリサイクル処理せしめた再生のペレットであることを特徴とする請求項６記載のトルマリン入りシートの製造方法。
【請求項８】
前記請求項１、２、３、４又は５によって得られたトルマリン入りシートを適宜な大きさに裁断した裁断シートを布状の袋に入れた袋状シートとし、その両端側にそれぞれ固定用部材、被固定用部材を設けてなることを特徴とする健康シート。
【請求項９】
前記請求項１、２、３、４又は５によって得られたトルマリン入りシートを適宜な大きさに裁断した裁断シートの中央部に雨水等による保水用としての果樹、樹木の大きさに応じた適宜な大きさの穴を有していることを特徴とする育成シート。
【発明の詳細な説明】
【０００１】
【発明の属する技術分野】
この発明は、トルマリン電気石の効力を利用し、熱可塑性樹脂のシート特に廃棄物再生シートをリサイクル処理せしめた熱可塑性樹脂のシートに、トルマリン電気石の微粉末を含浸させることにより電磁界遠赤外効果を高めた健康、農業、園芸などに適用できるようにしたトルマリン入りシートおよびその製造方法並びに健康シート、育成シートに関するものである。
【０００２】
【従来の技術】
従来、トルマリン電気石を利用したトルマリン電気石の多数の微粉された微粉末を布地や合成樹脂フィルム、接着剤の薄膜などの担持物の中に付着、乾燥させたものが知られている（特許文献１参照）。
【０００３】
一方、環境問題となっている産業物廃棄物農業用ビニールハウス使用済みのＰＥ（ポリエチレン）、ＥＶＡ（酢ビ）、ＰＰ（ポリプロピレン）からリサイクル技術によってリサイクルされる再生のペレットを製造することが、本出願人によってすでに特許になっている（特許文献２参照）。
【０００４】
【特許文献１】
特開平６−１４２１３１号公報
【０００５】
【特許文献２】
特許第１８８３９２２号
【０００６】
【発明が解決しようとする課題】
ところで、上述した従来のトルマリン電気石の多数の微粉された微粉末を布地や合成樹脂フィルム、接着剤の薄膜などの担持物の表面に付着させたものでは、長期間使用していくと、トルマリン電気石の多数の微粉された微粉末が布地や合成樹脂フィルム、接着剤の薄膜などの担持物の表面から脱落してしまい、トルマリン電気石の効果が薄れてしまい、役に立たなくなってしまうという問題がある。又、効果も薄くトルマリン電気石の効力を充分発揮できないものが多かった。
【０００７】
また、産業物廃棄物農業用ビニールハウス使用済みのＰＥ（ポリエチレン）、ＥＶＡ（酢ビ）、ＰＰ（ポリプロピレン）からリサイクル技術によってリサイクルされた再生のペレットは再度同じ分野の例えば産業物廃棄物農業用ビニールハウスに使用されていた。
【０００８】
この発明は上述の課題を解決するためになされたもので、その目的は、トルマリン電気石の特性を利用して再生シートからトルマリン電気石を微粉せしめた微粉末が脱落せず長期間使用可能にすると共に特にリサイクルされた再生の熱可塑性樹脂の用途拡大を図ったトルマリン入りシートおよびその製造方法並びに健康シート、育成シートを提供することにある。
【０００９】
【課題を解決するための手段】
上記目的を達成するために請求項１によるこの発明のトルマリン入りシートは、熱可塑性樹脂のシートに、トルマリン電気石を微粉せしめた微粉末を含浸せしめてなることを特徴とするものである。
【００１０】
したがって、熱可塑性樹脂のシートに、トルマリン電気石を微粉せしめた微粉末微粉を含浸せしめてあるから、トルマリン電気石を微粉せしめた微粉末がトルマリン入りシートより容易に脱落されることがなく、その特性を充分発揮することができ、長期間使用される。また、冷え性、肩凝り、腰痛、神経痛、筋肉疲労などの症状にトルマリン電気石の効果があり、健康面によい効果を与えることができる。特に農業、園芸用の育成シートとして充分な特性を発揮でき、植木、果樹、園芸用野菜の育成に大きい効果がある。
【００１１】
請求項２によるこの発明のトルマリン入りシートは、請求項１記載のトルマリン入りシートにおいて、熱可塑性樹脂は廃棄物シートをリサイクル処理せしめた再生の樹脂であることを特徴とするものである。
【００１２】
したがって、熱可塑性樹脂が廃棄物シートをリサイクル処理せしめた再生の樹脂であるから、廃棄物シートの再利用が図られて環境面からいってもマテリアルリサイクル化に大きい貢献ができ、用途が拡大されると共に安価に製造されることができる。
【００１３】
請求項３によるこの発明のトルマリン入りシートは、請求項１又は２記載のトルマリン入りシートにおいて、前記熱可塑性樹脂がポリエチレン、酢酸ビニール、ポリプロピレンの樹脂からなっていることを特徴とするものである。
【００１４】
したがって、前記熱可塑性樹脂としてポリエチレン、酢酸ビニール、ポリプロピレンの樹脂を特に使用することで、廃棄物リサイクルの面でも有効な商品として用途が拡大されると共にトルマリン電気石の特性が損なわれることはない。
【００１５】
請求項４によるこの発明のトルマリン入りシートは、請求項１、２または３記載のトルマリン入りシートにおいて、前記熱可塑性樹脂のシートの１００Ｋｇに対してトルマリン電気石を微粉せしめた微粉末含有が１２〜３０Ｋｇ含まれていることを特徴とするものである。
【００１６】
したがって、前記熱可塑性樹脂のシートの１００Ｋｇに対してトルマリン電気石を微粉せしめた微粉末の含有が１２〜３０Ｋｇ含まれていることで、トルマリンシートとして使用され、トルマリン電気石の特性が大きく、配合技術により特性が大きいものである。
【００１７】
請求項５によるこの発明のトルマリン入りシートは、請求項１、２、３又は４記載のトルマリン入りシートにおいて、厚さが０．０７５ｍｍ〜２．０ｍｍであると共にこの厚さの範囲内で調整可能であることを特徴とするものである。
【００１８】
したがって、厚さを０．０７５ｍｍ〜２．０ｍｍであると共にこの厚さの範囲内で調整可能であるとすることで、薄いもの厚いものの商品領域が大きいものが製造でき、種々な用途に使用される。
【００１９】
請求項６によるこの発明のトルマリン入りシートの製造方法は、熱可塑性樹脂のペレットと、トルマリン電気石を微粉せしめた微粉末粉とを、回転摩擦力によるミキサーに投入し、このミキサー内で混合せしめた後、押出機で混練押し出してシートにすることを特徴とするものである。
【００２０】
したがって、請求項１と同様に、熱可塑性樹脂のシートに、トルマリン電気石入り微粉ペレットがシート全体に効率よくまんべんに含浸されているものであり、微粉末がトルマリン入りシートより容易に脱落されることがない、長期間使用することができるものである。このようなものであるから、トルマリン効果が充分に発揮できるものであり、冷え性、肩凝り、腰痛、神経痛、筋肉疲労などの症状によい効果があり、健康用として使用することができる。特に農業、園芸用シートとしてよく使用でき、土地の中の乳酸効果ができトルマリン電気石特性の０．０６％電流が流れて果樹によい効果がある。
【００２１】
請求項７によるこの発明のトルマリン入りシートの製造方法は、請求項６記載のトルマリン入りシートの製造方法において、前記熱可塑性樹脂のペレットが廃棄物シートをリサイクル処理せしめた再生のペレットであることを特徴とするものである。
【００２２】
したがって、請求項２と同様に、熱可塑性樹脂のペレットが廃棄物シートをリサイクル処理せしめた再生のペレットとして使用でき、廃棄物シートの再利用が図られて環境面においても大きい効果が生じているものであり、トルマリン電気石を利用した新しい再生リサイクル商品として市場に提供できるものである。
【００２３】
請求項８によるこの発明の健康シートは、前記請求項１、２、３、４又は５によって得られたトルマリン入り含浸シートをその使用物により適宜大きさに切断した切断シートを袋に入れた袋状シートとし、その両端側にそれぞれ固定用部材、被固定用部材を設けてなることを特徴とするものである。
【００２４】
したがって、健康用シートとして身体の一部のどの場所でも容易に巻き付けて使用することができる。しかも、巻き付けることで、電磁波の効果で人体の静脈流、動脈流によい効果が与えられる。
【００２５】
請求項９によるこの発明の育成シートは、前記請求項１、２、３、４又は５によって得られたトルマリン入りシートを適宜な大きさに裁断した裁断シートの中央部に雨水等による保水用としての果樹、樹木の大きさに応じた適宜な大きさの穴を有していることを特徴とするものである。
【００２６】
したがって、裁断シートの中央部に雨水等による保水用としての果樹、樹木の大きさに応じた適宜な大きさの穴を有しているから、水分調整が行われて保水力が高められる。その結果、育成シート特に農業、園芸用シートとして利用し果樹、樹木の育成によい効果が上げられる。
【００２７】
【発明の実施の形態】
以下、この発明の実施の形態について図面を参照して詳細に説明する。
【００２８】
まず、トルマリン電気石の特性について、種々実験などを行って得られた結果を基にして説明する。
【００２９】
誘電体とは表面に電場が現れる物質であるがこの電場とは静電気であり極性結晶体であるトルマリン鉱石は電場の中におかなくても始めから電気分極をしている。トルマリンはプラス、マイナスの電極をもっている。又電極を自然に永久的に発生させる特性をもっている。トルマリンの電極はプラス、マイナス不安定でありそのバランスを電位といい、この電位があるためにマイナス電極から絶えずプラス電極に向けて電子が流れるのである。この静電気がある宇宙から素粒子（電子）が絶えず降り注がれているこの電子にはプラス、マイナスのイオンがあるが、プロトンと呼ばれるプラスイオンは大気を通過しないで太陽層と呼ばれるマイナスイオンだけが通過することは周知のことである。
【００３０】
このマイナスイオンがトルマリン鉱石のプラス電極に吸い付けられ、次々にマイナス電極に運ばれると自然にマイナス電極側からマイナスイオン電子１個がはじきだされるような形になり、それがプラス電極に電気力線に泊まって飛んでいき永久的な電気の流れとなる。
【００３１】
トルマリンは屈折率１．６２〜１．６４、復屈折量０．０２〜０．０４で遠赤外線とマイナスイオンの発生効果がある。この特性を利用し磁力線の作用を利用したものである。そして、人体の血流をよくし冷え性、肩凝り、腰痛、神経痛、筋肉疲労などの諸症状に効果があることが判明し身体の健康面の改善に効果がある。また、果樹、樹木の育成シートとして、又野菜マルチ栽培においても地表面、地中に磁力線効果により、これらの育成面に多大の生産量の増大に寄与することができる。すなわち、果樹、樹木の育成シートを野菜畑の周囲に敷くことで、土地の中の水分が蒸発せずに調整されて乳酸効果がでて保水力の活性化が生じて、果樹、野菜、樹木の育成に大きい効果がある。これらの果樹、樹木の育成面に多大の効果があり、生産量の増産に寄与することができるものである。さらに、電磁界を与えることで、細菌の除去、地中の虫、カビ、薬品などの抵抗性があり腐敗の心配がなく、害虫除去効果があることが判明している。
【００３２】
図１を参照するに、例えば本出願人の特許である特許第１８８３９２２号により廃棄物シート特にＰＥ（ポリエチレン）、ＥＶＡ（酢ビ）、ＰＰ（ポリプロピレン）のシートがリサイクル処理された再生の例えば０．８ｃｍ径からなるペレット１と、トルマリン電気石を０．１〜０．３ミクロンに例えばボールミルにて微粉せしめた微粉末３とを、加圧ニィーダのよる方法をとらずに、単に回転摩擦力によるミキサー５に投入する。そして、このミキサー５を例えば何千回の回転力で回転させることで、ミキサー５内で均一に混合せしめた後、押出機７で加熱され溶融化されてペレット状にすると共に押し出してシートにする。その後、引っ張りロール９にて引き出して巻き取り方式で巻き取られてトルマリン入りシート１１ができる。前記ミキサー５内に再生のペレット１、トルマリンの微粉末３を投入する際に、二酸化チタンを投入して混合させるとさらに効果的である。また、トルマリン入りシート１１を０．７５ｍｍ〜０．１ｍｍの厚さのごとく薄くする場合にはカレンダー方式を用いて巻き取る方法もある。
【００３３】
このトルマリン入りシート１１は図２に示されているように、廃棄物の再生のペレット１がペレット状になった後シートとなり、この中に多数のトルマリン電気石を微粉せしめた微粉末３がむらなく平均かつ均一に含浸されたものとなる。
【００３４】
上記トルマリン電気石を微粉末３に微粉末にする場合、ロールミル方式、微粉砕機回転方式による回転刃で微粉末にする方法もあるが、特殊超鋼刃にて微粉末にする方式も可能である。そして、微粉末３の大きさは０．１〜０．３ミクロン、好ましくは０．１〜０．２ミクロンの大きさがよい。
【００３５】
再生のペレット１とトルマリン電気石を微粉せしめた微粉末３との配合は、前記再生のペレット１の１００Ｋｇに対してトルマリン電気石を微粉せしめた微粉末３の含有が１２〜３０Ｋｇ含まれていることが好ましい。特に、再生のペレット１の１００Ｋｇに対してトルマリン電気石を微粉せしめた微粉末３の含有を２０〜３０Ｋｇとすることにより、トルマリン微粉の拡大散布によりトルマリンの電磁効果が特に広がり効力を強くすることができる。前記微粉末３の含有が１２Ｋｇ未満であると、量が少なくて効果がない。また、微粉末３の含有が３０Ｋｇを越えると１２〜３０Ｋｇと同じ効果を得るものであるが、それ以上の効果は期待できない。前記再生のペレット１はポリエチレン、酢酸ビニール、ポリプロピレンの樹脂からなっているのが好ましい。
【００３６】
トルマリン入りシート１１の厚さは０．０７５ｍｍ〜０．３ｍｍまで自在に調整して製造することができる。その結果、トルマリン単独による電磁電界のものと比較して多量のマイナスイオンが発生していて、遠赤外線も放出され良好にでていることが確認された。
【００３７】
トルマリン入りシート１１は大きなものを寸法切りにして使用こともでき、また、シートとして敷物にすることもできるが、身体に巻き付ける方式で使用する方が一段と電磁効果をあげることができる。身体の振動、摩擦によりさらにトルマリン電磁効果がでて電磁波による遠赤外線が放出され疲労回復、抗菌効果があることが判明している。
【００３８】
トルマリン入りシート１１を例えば図３に示されているように、布状の袋１３の中に入れ、その一端側に固定部材としての例えば粘着テープのメス１５Ａを貼り付けると共に他端側に被固定部材としての例えば粘着テープのオス１５Ｂを貼り付けて環状型にして身体の一部に巻き付けて使用されることで、例えば図４に示されているように、足１７の足首または足指の部分に前記袋１３を巻き付けて使用することで身体内の血流のめぐりが増加され効果が発揮されるものである。すなわち、巻き付けることで血流のめぐりがよくなり電磁効果があることが判明している。
【００３９】
このように、この得られたトルマリン入りシート１１を身体に巻き付けることで人体の運動と共にトルマリン微粉末同志の摩擦による静電気作用が発生して摩擦電気も加わってトルマリンの電流発生が増加され有効作用が起こり連動をすることで効果があがる。身体の触感神経を刺激して皮膚マッサージするような効果がある。また、人体の巻き付けシートは接触面がよくなり人体の血流がよくなる。トルマリンは人体の神経系統と同じ波長１１ミクロン０．０６ｍｍＡの微弱電流が流れることで細胞の活性化を促す効果がある。又、温度部変化による遠赤外線を発生させることができる。
【００４０】
トルマリンが遠赤外線を放出、帯電することで身体に巻き付け装着すると０．０６ｍｍＡの電流が常時流れ皮膚を温め血行を促進したり冷え性などの症状がよくなる。また、電磁界微弱電流の流れを持続させることで効果が高まり身体の血流がよくなるものであり、身体の体力を回復させ新陳代謝をよくする効果がある。なお、トルマリン入りシート１１の大きさは各人の人体により異なるが、身体に合わせて適切な大きさに切断して使用することができ、適当な対応ができるものである。
【００４１】
また、トルマリン入りシート１１は農業、果樹用の育成シートとして使用し、地中の電磁波効果と遠赤外線効果により果樹の育成が早く同じ苗木で生えたものと比較して１．５倍の成長が確認された。適当な水分と常温を保つことができ地中の乳酸菌効果があり果樹が安心して育つことができる。常に適当な水分と微弱電流によるもので果樹に刺激を与え活性化させるものである。また、抗菌効果もあり虫がつかないことが確認された。環境面においても、また農業各方面への生産面においても良い効果がでている。例えば図５（Ａ）、（Ｂ）に示されているように、野菜１９の根１９Ａの周囲に穴２１をあけた適宜な大きさのトルマリン入りシート１１を敷くことで、上述した効果を発揮せしめるものである。水分調整がよくなるとトルマリン電磁波による植物の根によい影響を与えて植物が活性化されるものである。
【００４２】
なお、この発明は前述した実施の形態に限定されることなく、適宜な使用方法をすることでその他の機能を発揮させることができるものである。熱可塑性樹脂として農業用の廃棄シートをリサイクル処理された再生のペレットを用いた例で説明したが、再生品でない新素材のポリエチレン、酢ビ、ポリプロピレンを使用することもできるので、新素材ポリエチレン、酢ビ、ポリプロピレン等もこのトルマリン含有シートとして使用できるものである。
【００４３】
【発明の効果】
以上のごとき発明の実施の形態の説明から理解されるように、請求項１の発明によれば、熱可塑性樹脂のシートに、トルマリン電気石を微粉せしめた微粉末を含浸せしめてあるから、トルマリン電気石の微粉末がトルマリン入りシートより容易に脱落されることがなく、長期間使用することができるものであり、このシートを使用することで、冷え性、肩凝り、腰痛、神経痛、筋肉疲労などの症状に効果があることが判明したことにより、健康面によい結果を生じている。さらに、農業、園芸用の果樹、樹木、野菜の育成シートとして使用することができる。
【００４４】
請求項２の発明によれば、熱可塑性樹脂が例えば農業用廃ビニール等の廃棄物シートをリサイクル処理せしめた再生のペレットであるから、環境面からいってもマテリアルリサイクル化に大きく貢献ができ、廃棄物シートの再利用を図ることができる。しかも、リサイクル商品としての用途を拡大することができ、また、原料が安いから安価に製作することもできる。
【００４５】
請求項３の発明によれば、前記熱可塑性樹脂として、ポリエチレン、酢酸ビニール、ポリプロピレンの樹脂を特に使用することで、用途を拡大することができると共に他の樹脂よりも効果を発揮することができる。しかも、廃棄物のポリエチレン、酢酸ビニール、ポリプロピレンの樹脂を再利用することで、リサイクル品として効果を上げることができると共にトルマリン電気石の特性を損なわれることはない。
【００４６】
請求項４の発明によれば、前記熱可塑性樹脂のシートの１００Ｋｇに対してトルマリン電気石を微粉された粉石の含有が１２〜３０Ｋｇ含まれているシートを使用することで、トルマリン電気石の特性を有効に活用できる。
【００４７】
請求項５の発明によれば、厚さを０．０７５〜０．３ｍｍとし、しかも、この厚さの範囲内で調整することで、種々幅広い使用方法が期待できる。
【００４８】
請求項６の発明によれば、請求項１と同様に、熱可塑性樹脂のシートに、トルマリン電気石を微粉せしめた微粉末を含浸せしめてあるから、トルマリン電気石の微粉末がトルマリン入りシートより容易に脱落されることがなく、長期間使用することができるものであり、このシートを使用することで、冷え性、肩凝り、腰痛、神経痛、筋肉疲労などの症状に効果があることが判明したことにより、健康面によい結果を生じている。さらに、農業、園芸用の果樹、樹木、野菜の育成シートとして使用することができる。
【００４９】
請求項７の発明によれば、請求項２と同様に、熱可塑性樹脂のペレットとして廃棄物シートをリサイクル処理された再生のペレットを使用でき、廃棄物シートの再利用を図ることができ、環境面でのマテリアルリサイクル品として市場に提供できるものである。
【００５０】
請求項８の発明によれば、健康用シートとして身体の一部のどの場所でも巻き付けて使用することで血流効果があがり、その結果、冷え性、肩凝り、腰痛、神経痛、筋肉疲労などの症状によい効果を発揮することができる。
【００５１】
請求項９の発明によれば、裁断シートの中央部に雨水等による保水用としての果樹、樹木の大きさに応じた適宜な大きさの穴を有しているから、水分調整を行うことができて保水力を高めることができる。その結果、育成シート特に農業、園芸用シートとして利用し果樹、樹木の育成によい効果を上げることができる。
【図面の簡単な説明】
【図１】トルマリン入りシートを製造する工程を示したものである。
【図２】トルマリン入りシートの一例を示した平面図である。
【図３】トルマリン入りシートを布状の袋に入れ両端にそれぞれ固定部材、被固定部材を取り付けた一例の健康シートである。
【図４】トルマリン入りシートを入れた布状の袋を例えば足の足首または足指に巻き付けた状態の例を示した図である。
【図５】（Ａ）、（Ｂ）はそれぞれトルマリン入りシートを野菜の根の周囲に敷いた正面図、平面図である。
【符号の説明】
１  再生のペレット
３  トルマリン電気石を微粉せしめた微粉末
５  回転摩擦力によるミキサー
７  押出機
９  引っ張りロール
１１  トルマリン入りシート
１３  布状の袋
１５Ａ、１５Ｂ  粘着テープのメス、オス（固定部材、被固定部材）
１７  足
１９  野菜
１９Ａ  根
２１  穴
【図１】
2004315684.tif 000003
【図２】
2004315684.tif 000004
【図３】
2004315684.tif 000005
【図４】
2004315684.tif 000006
【図５】
2004315684.tif 000007